(57)【要約】【課題】機械的強度が高いヒンジを有するキャップを提案する。【解決手段】  容器内の内容物を注出する注出口（１ａ）を有し容器の口部に装着されるキャップ本体（１）と、このキャップ本体（１）に合わさりその注出口（１ａ）を閉塞する蓋体（２）と、キャップ本体（１）及び蓋体（２）を相互につなぎ該蓋体（２）をキャップ本体（１）において揺動可能に支持するヒンジ（３）とを備えたキャップにおいて、前記ヒンジ（３）を、キャップ本体（１）又は蓋体（２）に一体成形された接続端（３ｂ）と、それらのうちのもう一方に嵌合、固定保持される係止部位（３ｃ）を有する薄肉片（３ａ）にて構成する。そして、前記キャップ本体（１）と前記蓋体（２）の相互間に、前記ヒンジ（３）の外表面に沿って伸延し、該キャップ本体（１）又は蓋体（２）の何れか一方に一体連結され、それらのうちのもう一方に嵌合、固定保持される弾性片（４）を設ける。【選択図】図１
2006290417.tif 000002
【特許請求の範囲】
【請求項１】
容器内の内容物を注出する注出口を有し容器の口部に装着されるキャップ本体と、このキャップ本体に合わさりその注出口を閉塞する蓋体と、キャップ本体及び蓋体を相互につなぎ該蓋体をキャップ本体において揺動可能に支持するヒンジとを備えたキャップであって、
前記ヒンジは、キャップ本体又は蓋体に一体成形された接続端と、それらのうちのもう一方に嵌合、固定保持される係止部位を有する薄肉片からなり、
前記キャップ本体と前記蓋体の相互間に、前記ヒンジの外表面に沿って伸延し、該キャップ本体又は蓋体の何れか一方に一体連結され、それらのうちのもう一方に嵌合、固定保持される弾性片を設けたことを特徴とするヒンジキャップ。
【請求項２】
前記弾性片は、蓋体の開閉に際して該蓋体に開方向及び閉方向に向かう力をそれぞれ付加する弾性力を有する、請求項１記載のヒンジキャップ。
【発明の詳細な説明】
【技術分野】
【０００１】
本発明は合成樹脂製のヒンジキャップに関するものであり、キャップ本体と蓋体とをつなぐヒンジの伸びや破断等の損傷を確実に防止しようとするものである。
【背景技術】
【０００２】
シャンプーやリンス、液体洗剤あるいは消毒液等を内容物として充填する容器には、片手による操作で蓋を開閉して容器内の内容物が取り出せるようにヒンジキャップが使用されている。
【０００３】
かかるヒンジキャップは、容器内の内容物を注出する注出口を有し容器の口部に装着されるキャップ本体と、このキャップ本体に合わさり注出口を密閉する蓋体とを各部材に一体的に成形されたヒンジ片を介して連結した構造になっている。
【０００４】
ところで、上記ヒンジキャップは、蓋体を閉じた時にヒンジ片によって該蓋体が浮き上がってしまって確実な封鎖ができなかったり、収納液を注出すべく容器を傾けた時に蓋体が簡単に回動してしまい収納液の注出を妨げる等の欠点があった。
【０００５】
このため、従来は、ヒンジ片の間に弾力性に富む連結片を設けて、この連結片による弾力を利用して蓋体の確実な封鎖と収納液の注出時における蓋体の回動を防止するようにしていた（例えば特許文献１）。
【特許文献１】実公平６─３８０４号公報
【０００６】
しかしながら、上記従来構造のヒンジキャップは、２つのヒンジ片と当該ヒンジ片の相互間に位置する連結片とが横並びの配置になっており、ヒンジ片の幅が十分に確保できないことから、開閉操作に伴う変形疲労やヒンジ片に対する横方向の力や捻り等、不用意な力加えられた場合にヒンジ片に対する応力集中によりヒンジ片が早期のうちに破断してしまうこともあって、その機能を長期にわたり有効に発揮させることができない不具合を有していた。
【発明の開示】
【発明が解決しようとする課題】
【０００７】
本発明の課題は、ヒンジにおける破損を回避して長期にわたってその機能を維持できる新規なヒンジキャップを提案するところにある。
【課題を解決するための手段】
【０００８】
本発明は、容器内の内容物を注出する注出口を有し容器の口部に装着されるキャップ本体と、このキャップ本体に合わさりその注出口を閉塞する蓋体と、キャップ本体及び蓋体を相互につなぎ該蓋体をキャップ本体において揺動可能に支持するヒンジとを備えたキャップであって、
前記ヒンジは、キャップ本体又は蓋体に一体成形された接続端と、それらのうちのもう一方に嵌合、固定保持される係止部位を有する薄肉片からなり、
前記キャップ本体と前記蓋体の相互間に、前記ヒンジの外表面に沿って伸延し、該キャップ本体又は蓋体の何れか一方に一体連結され、それらのうちのもう一方に嵌合、固定保持される弾性片を設けたことを特徴とするヒンジキャップである。
【０００９】
上記の構成になるヒンジキャップにおいて、前記弾性片は、蓋体の開閉に際して該蓋体に開方向及び閉方向に向かう力をそれぞれ付加する弾性力を有するものを用いるのが好ましい。
【発明の効果】
【００１０】
キャップ本体と蓋体とをつなぐヒンジを薄肉片として、その外表面に沿わせて弾性片を配置する２段構造としたので、薄肉片の幅寸法を比較的自由に設定できる。
【００１１】
また、ヒンジと弾性部片はそれぞれキャップ本体、蓋体に個別に設けられるので、ヒンジ、弾性部片ともに強度あるいは機能を確保するのに最も適した材料を選択できる。
【発明を実施するための最良の形態】
【００１２】
以下、図面を用いて本発明をより具体的に説明する。
図１は本発明にしたがう合成樹脂製のヒンジキャップの外観斜視図（蓋体を開けた状態）であり、図２（ａ）（ｂ）はその断面を示した図である。
【００１３】
図における１は容器の口部に装着されるキャップ本体である。このキャップ本体１は容器内の内容物を注出する注出口１ａを有するもので、図２にその断面を示すように外観を構成する外筒部１ｂと容器の口部に螺条を介して係止される内筒部１ｃの２重壁構造になっており、キャップ本体１の後方部位の外筒部と内筒部の間に位置する天板を段部として構成し、この段部に後述の係止部位３ｃを挿入する係合孔部１ｄが設けられる。
【００１４】
また、２はキャップ本体に合わさりその注出口１ａを閉塞する栓体及び注出口１ａの周囲を覆う筒状部を裏面から垂下形成した蓋体、３は蓋体２に一体成形されキャップ本体１及び蓋体２を相互につなぎ蓋体２をキャップ本体１において揺動可能に支持するヒンジである。
【００１５】
ヒンジ３は蓋体２の開閉を阻害しないよう薄肉片３ａにて構成されるもので、その分解状態を図３に示すように、蓋体２に一体成形された接続端３ｂと、その他端にキャップ本体１に嵌合、固定保持される係止部位３ｃを有している。係止部位３ｃは、薄肉片３ａから伸びる水平板部３ｃ１とその他端から下方に向けて垂直に伸びる板部３ｃ２とにて形成されており、板部３ｃ２の先端には係合用の突起部３ｃ３が設けられている。
【００１６】
また、４はキャップ本体１と蓋体２の相互間でヒンジ３の外表面に沿って伸延する弾性片である。この弾性片４は図３に示すようにその一端がキャップ本体１に一体連結され、他端は蓋体２の開口２ａに嵌合、固定保持される厚肉係合部を有する。
【００１７】
上記の構成になるヒンジキャップは、ヒンジ３を構成する薄肉片３ａを外表面にて覆うように弾性片４が配置されたダブルヒンジ型になっており、薄肉片３ａの幅寸法を大きくすることが可能であり、これにより機械的強度を向上させることができ、開閉操作時に不用意な力（横向きの力）が付加された場合においてもそれに対する抵抗も大きくなり簡単に破断することがない。
【００１８】
かかる構成のヒンジキャップを組み立てるに際しては、キャップ本体後方部に形成した段部に係止部位３ｃの水平板部３ｃ１を位置させ、当該段部に形成した係合孔部１ｄに前記係止部位３ｃの垂直板部３ｃ２を挿入、係止すると同時に弾性片４の厚肉係合部を蓋体２の開口２ａに嵌合、固定保持すればよい。
【００１９】
弾性片４は蓋体２の開閉に際して該蓋体２に開方向及び閉方向に向かう力をそれぞれ付加する機能を有するもので、その断面形状はＵ形、Ｖ形あるいは波形等、任意に設定できる。
【００２０】
また、上記の実施の形態では、薄肉片３ａの接続端３ｂを蓋体２に一体成形したものとして示し、弾性片４についてはその一端をキャップ本体１に一体連結したものとして示したが、これらは互いに逆の場合であってもかまわない。
【００２１】
薄肉片３ａの係止部位３ｃはキャップ本体１に差し込んで嵌合、固定保持する差込み片とし、連結片４の他端は連結片に設けた突起あるいは突条を利用しアンダーカットによって嵌合、固定保持する例として示したが、これらの嵌合形式も適宜変更し得るものであって、図示のものには限定されない。
【００２２】
また、本発明にしたがうヒンジキャップは、ヒンジ３と弾性片４をそれぞれ蓋体２とキャップ本体１とに分けて一体成形しているため、ヒンジ３、弾性片４について強度や機能を確保するのに最も適した材料を選択することができるだけでなく、キャップ本体１と蓋体２に異なる色彩を付与することが可能なので、蓋体２とキャップ本体１の識別が明確になることから、デザインの多様化を図ることができるとともに蓋体２を開放する操作が容易になる利点を有する。
【産業上の利用可能性】
【００２３】
蓋体の開閉に伴う変形や疲労劣化が少ない機械的強度の高いヒンジキャップが提供できる。
【図面の簡単な説明】
【００２４】
【図１】本発明にしたがうヒンジキャップの実施の形態を示した図である。
【図２】（ａ）（ｂ）は図１に示したヒンジキャップの断面を示した図である。
【図３】図１に示したヒンジキャップの分解状態を示した図である。
【符号の説明】
【００２５】
１  キャップ本体
１ａ  注出口
１ｂ  外筒部
１ｃ  内筒部
１ｄ  係合孔部
２  蓋体
２ａ  注出口
３  ヒンジ
３ａ  薄肉片
３ｂ  接続端
３ｃ  係止部位
３ｃ１  水平板部
３ｃ２  垂直に伸びる板部
３ｃ３  突起部
４  弾性片
【図１】
2006290417.tif 000003
【図２】
2006290417.tif 000004
【図３】
2006290417.tif 000005